(57)【特許請求の範囲】
【請求項１】
冷蔵に適した温度に庫内設定温度が設定される貯蔵室には、圧縮機を有する冷凍装置と循環接続された冷却器と、庫内ファンと、庫内温度を検知する庫内温度センサとが設けられ、
庫内温度センサで検知された庫内検知温度が庫内設定温度を上回ったら圧縮機並びに庫内ファンが運転され、庫内設定温度を下回ったら圧縮機が停止されることを繰り返すことにより、貯蔵室が対応する庫内設定温度に維持されるようにした冷却貯蔵庫において、
圧縮機の停止中に貯蔵室の庫内温度が基準温度まで低下したことを条件に、当該貯蔵室に装備された発熱部材を発熱させるとともに、庫内ファンを運転することにより貯蔵室を昇温する昇温装置が設けられ、
かつ、昇温動作中において貯蔵室の庫内温度が上昇したのち再び下降傾向を示した場合には、庫内ファンの駆動率を下げるファン駆動制御装置が設けられていることを特徴とする冷却貯蔵庫。
【請求項２】
互いに高低異なった庫内設定温度が設定される複数の貯蔵室が設けられ、
各貯蔵室には、圧縮機を有する共通の冷凍装置と循環接続された冷却器と、庫内ファンと、庫内温度を検知する庫内温度センサとが個別に設けられるとともに、各冷却器への冷媒の流入口側には開閉弁が備えられており、
いずれか一の貯蔵室において、庫内温度センサで検知された庫内検知温度が対応する庫内設定温度の上限値に達したら圧縮機が運転状態とされ、
各貯蔵室では、庫内検知温度が対応する庫内設定温度の上限値に達したら開閉弁が開放されることにより冷却器の冷却動作を実行し、同庫内設定温度の下限値に達したら開閉弁を閉鎖することで冷却器の冷却動作を停止することを繰り返すことによって、庫内が対応する庫内設定温度に維持され、
全貯蔵室の庫内検知温度がそれぞれ対応する庫内設定温度の下限値に達した場合には、圧縮機が停止しかつ全開閉弁が開放状態とされる冷却貯蔵庫において、
圧縮機の停止中に庫内設定温度が高い側の貯蔵室の庫内温度が基準温度まで低下したことを条件に、当該貯蔵室に装備された発熱部材を発熱させるとともに、庫内ファンを運転することにより同貯蔵室を昇温する昇温装置が設けられ、
かつ、昇温動作中において貯蔵室の庫内温度が上昇したのち再び下降傾向を示した場合には、庫内ファンの駆動率を下げるファン駆動制御装置が設けられていることを特徴とする冷却貯蔵庫。
【請求項３】
昇温動作中において庫内ファンの駆動率を下げるタイミングが、貯蔵室の庫内温度が上昇したのち下降に転じて所定温度まで下降したときであることを特徴とする請求項１または請求項２記載の冷却貯蔵庫。
【請求項４】
昇温動作中において庫内ファンの駆動率を下げるタイミングが、貯蔵室の庫内温度が上昇したのち下降に転じてから所定時間が経過したときであることを特徴とする請求項１または請求項２記載の冷却貯蔵庫。
【請求項５】
昇温装置の発熱部材が、当該昇温装置を構成する庫内ファンのモータ部であることを特徴とする請求項１ないし請求項４のいずれか一項に記載の冷却貯蔵庫。
【請求項６】
昇温装置の発熱部材が、当該昇温装置が配された貯蔵室の冷却器に装備された除霜ヒータであることを特徴とする請求項１ないし請求項５のいずれか一項に記載の冷却貯蔵庫。
【発明の詳細な説明】
【技術分野】
【０００１】
本発明は、冷蔵庫のように設定温度が比較的高い貯蔵室を有する冷却貯蔵庫に関する。
【背景技術】
【０００２】
この種の冷却貯蔵庫の一例として、下記特許文献１に記載されたように、単一の圧縮機により互いに設定温度が異なる貯蔵室を冷却する冷凍冷蔵庫があり、以下のような構成のものが提案されている。  
この冷凍冷蔵庫には、断熱的に区画された冷凍室（設定温度が低い）と冷蔵室（設定温度が高い）とが設けられ、各室には、圧縮機を有する共通の冷凍装置と循環接続された冷却器と、庫内ファンと、庫内温度を検知する庫内サーミスタとが個別に設けられるとともに、各冷却器への冷媒の流入口側には開閉弁が備えられている。
【０００３】
そして、冷凍室と冷蔵室のいずれか一方において、庫内検知温度が対応する庫内設定温度の上限値に達したら圧縮機が運転状態とされ、各室では、庫内検知温度が対応する庫内設定温度の上限値に達したら、開閉弁が開放されて冷却器の冷却動作が実行されるとともに庫内ファンが運転されることで庫内が冷却され、経時後に庫内検知温度が庫内設定温度の下限値に達したら、開閉弁が閉鎖されて冷却器の冷却動作が停止されることで庫内が自然温度上昇することを繰り返すことにより、庫内が対応する庫内設定温度に維持されるようになっている。なお、温度上昇サイクルにおいても庫内ファンを例えば間欠運転する等によって、庫内の温度のばらつきを抑制するようにしている。  
また、冷凍室と冷蔵室のいずれにおいても庫内検知温度がそれぞれ対応する庫内設定温度の下限値に達した場合には、圧縮機が停止される。そのとき、次回の圧縮機の起動がしやすいように両開閉弁は開かれるようになっている。
【０００４】
ところでこのような冷凍冷蔵庫では、圧縮機の停止中において、周囲温度が低いときに冷蔵室の庫内設定温度を高く（例えば＋１２℃）設定したとき、あるいは、冷凍室の庫内設定温度を低く（例えば−２５℃）、冷蔵室の庫内設定温度を高く（例えば＋１２℃）設定する等で、冷蔵室と冷凍室とで庫内設定温度の差が大きいときは、周囲温度、あるいは冷凍側の冷却器（冷媒）の影響を受けて、冷蔵室の庫内温度が低下する嫌いがある。途中で開閉弁を閉じれば、冷凍側の影響はある程度防ぐことができるが、周囲温度の影響については開閉弁の制御では対応できない。
【０００５】
そこで従来では、圧縮機の停止中における冷蔵室の庫内温度の低下、すなわち冷え過ぎを回避する対策として、図８のタイミングチャートに示すような制御手段が講じられていた。  
冷蔵室に続いて冷凍室の庫内温度が設定温度の下限値（ＯＦＦ温度）まで下降したら（タイミングｔ１）、圧縮機が停止するとともに両開閉弁が開放され、同タイミングｔ１以降、上記した理由により冷蔵室の庫内温度が次第に低下する。経時後、冷蔵室の庫内温度が低基準温度（ＯＦＦ温度−２Ｋ℃）に下降したら（タイミングｔ２）、以下のような昇温制御が実行される。すなわち、冷蔵側庫内ファンが低速間欠運転から高速連続運転に切り替わるとともに、防露ヒータが間欠通電から連続通電に切り替わり、また、冷蔵側の除霜ヒータへ間欠的に通電されるようになる。これにより、庫内ファンのモータ部の発熱に加えて、防露ヒータの発熱さらには除霜ヒータの発熱により生成された暖気が冷蔵室に循環供給され、冷蔵室の庫内温度が次第に上昇する。
【０００６】
冷蔵室の庫内温度が、設定温度の上限値（ＯＮ温度）よりも少し低い高基準温度（設定温度＋０．５Ｋ℃）まで上昇したら（タイミングｔ３）、昇温に影響の大きい除霜ヒータへの間欠通電が停止される。同タイミングｔ３以降、冷蔵室の庫内温度は次第に下降に転じ、冷蔵室の庫内温度が低基準温度（ＯＦＦ温度−２Ｋ℃）に下降したら、再び除霜ヒータへの間欠通電が開始され、それ以降上記の制御が繰り返される。  
経時後、周囲温度の変化等で、冷蔵室の庫内温度がＯＮ温度まで上昇したら（タイミングｔ４）、昇温制御が終了して冷蔵室が冷却サイクルに入る。
【先行技術文献】
【特許文献】
【０００７】
【特許文献１】特開２００８−２８６４７４号公報
【発明の概要】
【発明が解決しようとする課題】
【０００８】
上記従来のものでは、昇温制御により、冷蔵室の庫内温度は、最低で低基準温度（ＯＦＦ温度−２Ｋ℃）に留められ、冷蔵室自体の冷え過ぎは回避される。  
一方、冷蔵室に貯蔵された食材の温度については、冷蔵室の庫内温度の変化には追従し切れず、また昇温制御中は、冷蔵側庫内ファンは高速連続運転されていて、特に除霜ヒータが切られた後では、さほど高温ではない空気が食材に対して当たり続けることになるため、食材をむしろ冷却する方に作用し、図８に示すように、食材が庫内設定温度よりも数℃低い温度に留められる可能性がある。すなわち、冷蔵室の庫内設定温度がプラス温度であるにも拘わらず、食材が凍結する場合もあった。  
本発明は上記のような事情に基づいて完成されたものであって、その目的は、圧縮機の停止中において、設定温度が比較的高い貯蔵室のみならず同貯蔵室に貯蔵された食材が冷え過ぎることを回避できるようにするところにある。
【課題を解決するための手段】
【０００９】
本発明は、冷蔵に適した温度の庫内設定温度が設定される貯蔵室には、圧縮機を有する冷凍装置と循環接続された冷却器と、庫内ファンと、庫内温度を検知する庫内温度センサとが設けられ、庫内温度センサで検知された庫内検知温度が庫内設定温度を上回ったら圧縮機並びに庫内ファンが運転され、庫内設定温度を下回ったら圧縮機が停止されることを繰り返すことにより、貯蔵室が対応する庫内設定温度に維持されるようにした冷却貯蔵庫において、圧縮機の停止中に貯蔵室の庫内温度が基準温度まで低下したことを条件に、当該貯蔵室に装備された発熱部材を発熱させるとともに、庫内ファンを運転することにより貯蔵室を昇温する昇温装置が設けられ、かつ、昇温動作中において貯蔵室の庫内温度が上昇したのち再び下降傾向を示した場合には、庫内ファンの駆動率を下げるファン駆動制御装置が設けられているところに特徴を有する。  
ここで、「冷蔵に適した温度」とは、プラス温度に加え、微凍結を目的とした「−２〜３℃程度のマイナス温度」も含むものである。
【００１０】
圧縮機が停止した状態において、周囲温度の影響等により貯蔵室の庫内温度が次第に下降して基準温度に達したら、発熱部材が発熱されるとともに、庫内ファンが運転されることにより貯蔵室が次第に昇温される。ただし貯蔵室に貯蔵された食材は、貯蔵室ほどには昇温されない。経時後、周囲温度の影響が勝つ等の条件によって、貯蔵室の庫内温度が再び下降傾向を示すと、庫内ファンの駆動率が下げられる。  
仮に、庫内ファンが引き続いて通常運転されると、食材に対して空気が強く当たり続けることになるため、食材をむしろ冷却するように作用するところを、上記のように庫内ファンの駆動率が下げられることにより、貯蔵室内を緩やかに撹拌する程度で食材に対して強い風が当てられるのが回避され、食材の温度低下が規制される。  
すなわち、圧縮機の停止中において、貯蔵室のみならず同貯蔵室に貯蔵された食材が冷え過ぎることを防止できる。
【００１１】
また、以下のような構成としてもよい。  
（１）互いに高低異なった庫内設定温度が設定される複数の貯蔵室が設けられ、各貯蔵室には、圧縮機を有する共通の冷凍装置と循環接続された冷却器と、庫内ファンと、庫内温度を検知する庫内温度センサとが個別に設けられるとともに、各冷却器への冷媒の流入口側には開閉弁が備えられており、いずれか一の貯蔵室において、庫内温度センサで検知された庫内検知温度が対応する庫内設定温度の上限値に達したら圧縮機が運転状態とされ、各貯蔵室では、庫内検知温度が対応する庫内設定温度の上限値に達したら開閉弁が開放されることにより冷却器の冷却動作を実行し、同庫内設定温度の下限値に達したら開閉弁を閉鎖することで冷却器の冷却動作を停止することを繰り返すことによって、庫内が対応する庫内設定温度に維持され、全貯蔵室の庫内検知温度がそれぞれ対応する庫内設定温度の下限値に達した場合には、圧縮機が停止しかつ全開閉弁が開放状態とされる冷却貯蔵庫において、圧縮機の停止中に庫内設定温度が高い側の貯蔵室の庫内温度が基準温度まで低下したことを条件に、当該貯蔵室に装備された発熱部材を発熱させるとともに、庫内ファンを運転することにより同貯蔵室を昇温する昇温装置が設けられ、かつ、昇温動作中において貯蔵室の庫内温度が上昇したのち再び下降傾向を示した場合には、庫内ファンの駆動率を下げるファン駆動制御装置が設けられている。
【００１２】
圧縮機が停止した状態において、周囲温度や低温側貯蔵室の冷却器の影響等により、高温側貯蔵室の庫内温度が次第に下降して基準温度に達したら、発熱部材が発熱されるとともに、庫内ファンが運転されることにより高温側貯蔵室が次第に昇温される。ただし同貯蔵室に貯蔵された食材は、同貯蔵室ほどには昇温されない。経時後、周囲温度や低温側貯蔵室の冷却器の影響によって、高温側貯蔵室の庫内温度が再び下降傾向を示すと、庫内ファンの駆動率が下げられる。  
仮に、庫内ファンが引き続いて通常運転されると、食材に対して空気が強く当たり続けることになるため、食材をむしろ冷却するように作用するところを、上記のように庫内ファンの駆動率が下げられることにより、高温側貯蔵室内を緩やかに撹拌する程度で食材に対して強い風が当てられるのが回避され、食材の温度低下が規制される。  
すなわち、圧縮機の停止中において、高温側貯蔵室のみならず同貯蔵室に貯蔵された食材が冷え過ぎることを防止できる。
【００１３】
（２）昇温動作中において庫内ファンの駆動率を下げるタイミングが、貯蔵室の庫内温度が上昇したのち下降に転じて所定温度まで下降したときである。昇温動作によって貯蔵室の庫内温度が上昇し、ピークを過ぎて所定温度まで下降したところで、庫内ファンの駆動率が下げられる。  
（３）昇温動作中において庫内ファンの駆動率を下げるタイミングが、貯蔵室の庫内温度が上昇したのち下降に転じてから所定時間が経過したときである。昇温動作によって貯蔵室の庫内温度が上昇し、ピークに達してから所定時間が経過したところで、庫内ファンの駆動率が下げられる。
【００１４】
（４）昇温装置の発熱部材が、当該昇温装置を構成する庫内ファンのモータ部である。庫内ファンのみで発熱部材をも賄うことができる。  
（５）昇温装置の発熱部材が、当該昇温装置が配された貯蔵室の冷却器に装備された除霜ヒータである。除霜ヒータは空気加熱能力が大きく、ひいては貯蔵室の昇温機能に優れたものとなる。
【発明の効果】
【００１５】
本発明によれば、圧縮機の停止中において、設定温度が比較的高い貯蔵室のみならず同貯蔵室に貯蔵された食材が冷え過ぎることを防止できる。
【図面の簡単な説明】
【００１６】
【図１】本発明の一実施形態に係る冷凍冷蔵庫の内部構造を示す概略断面図
【図２】冷凍サイクルの構成体の斜視図
【図３】冷凍サイクルの回路構成図
【図４】冷蔵室の昇温制御機構を示すブロック図
【図５】冷蔵室の昇温制御形態を示すタイミングチャート
【図６】関連技術１の冷蔵室の昇温制御形態を示すタイミングチャート
【図７】関連技術２の冷蔵室の昇温制御形態を示すタイミングチャート
【図８】従来例に係る冷蔵室の昇温制御形態を示すタイミングチャート
【発明を実施するための形態】
【００１７】
＜実施形態＞
本発明の一実施形態を図１ないし図５によって説明する。この実施形態では業務用の横型（テーブル型）冷凍冷蔵庫に適用した場合を例示している。  
図１により全体構造を説明すると、符号１０は貯蔵庫本体であって、前面に開口した横長の断熱箱体により構成され、底面の四隅に設けられた脚１１によって支持されている。貯蔵庫本体１０の内部は、後付けされる断熱性の仕切壁１２によって内部が左右に仕切られ、左側が冷凍室１３Ｆ、右側が冷蔵室１３Ｒとなっている。各室１３Ｆ，１３Ｒの前面の開口には揺動式の断熱扉（図示せず）が開閉可能に装着されている。
【００１８】
貯蔵庫本体１０の正面から見た左側部には、機械室１４が設けられている。機械室１４内の上部の奥側には、冷凍室１３Ｆとダクト１５Ｆを介して連通した断熱性の冷却器室１６Ｆが張り出し形成され、ここに冷凍側冷却器１７Ｆと冷凍側冷却ファン１８Ｆとが設けられているとともに、機械室１４の下方には、冷凍ユニット２０が出し入れ可能に収納されている。また、仕切壁１２の冷蔵室１３Ｒ側の面には、ダクト１５Ｒを張ることで冷却器室１６Ｒが形成され、ここに冷蔵側冷却器１７Ｒと冷蔵側冷却ファン１８Ｒとが設けられている。  
冷凍ユニット２０は、図２に示すように、圧縮機２１と、その圧縮機２１の冷媒吐出側に接続した凝縮器２２とを基台２３上に設置したものであり、併せて凝縮器２２を空冷するための凝縮器ファン２２Ａも搭載されている。
【００１９】
冷凍サイクルは、図３に示すように構成されている。  
凝縮器２２の出口側管路の途中に設けられた分岐部２５から、冷凍側冷媒供給路２６Ｆと冷蔵側冷媒供給路２６Ｒが分岐して配管されている。冷凍側冷媒供給路２６Ｆは、冷凍側電磁開閉弁２７Ｆと上記した冷凍側冷却器１７Ｆとが直列に設けられているとともに、冷蔵側冷媒供給路２６Ｒには、冷蔵側電磁開閉弁２７Ｒと上記した冷蔵側冷却器１７Ｒとが直列に設けられている。両冷却器１７Ｆ，１７Ｒの出口側管路は合流部２９において合流され、１本の冷媒還流路３０として圧縮機２１の吸入側に接続されている。
【００２０】
冷凍室１３Ｆと冷蔵室１３Ｒとは、それぞれ個別に庫内設定温度が設定可能とされている。また、冷凍室１３Ｆと冷蔵室１３Ｒとにはそれぞれ、庫内温度を検知する庫内サーミスタ３１Ｆ，３１Ｒが設けられており、例えば各冷却器室１６Ｆ，１６Ｒの入口部分に配されている。  
また、冷凍側冷却器１７Ｆと冷蔵側冷却器１７Ｒにはそれぞれ、除霜ヒータ３２Ｆ，３２Ｒと、除霜完了を擬制するべく冷却器温度を検知する除霜サーミスタ３３Ｆ，３３Ｒとが設けられている。  
さらに、冷凍室１３Ｆと冷蔵室１３Ｒにおけるそれぞれの前面開口部の全周に亘って、防露ヒータ３４Ｆ，３４Ｒが埋設されている。  
仕切壁１２には両室１３Ｆ，１３Ｒに臨むようにして庫内灯３５が設けられ、各室１３Ｆ，１３Ｒに設けられた断熱扉が開放されたときにドアスイッチ３６Ｆ，３６Ｒが閉じることで、庫内灯３５が点灯するようになっている。
【００２１】
基本的な冷却制御運転は、以下のようである。冷凍室１３Ｆの庫内温度は、「−数１０℃」程度に、冷蔵室１３Ｒの庫内温度は「＋数℃」程度にそれぞれ設定される。  
冷凍室１３Ｆと冷蔵室１３Ｒのいずれか一方において、庫内サーミスタ３１Ｆ，３１Ｒで検知された庫内温度が対応する庫内設定温度の上限値（ＯＮ温度：設定温度＋１．５Ｋ℃）に達したら圧縮機２１が運転状態とされる。  
冷凍室１３Ｆと冷蔵室１３Ｒでは、庫内温度がＯＮ温度に上昇したら対応する開閉弁２７Ｆ，２７Ｒが開放されて冷却器１７Ｆ，１７Ｒに冷媒が供給される一方、対応する庫内ファン１８Ｆ，１８Ｒが高速運転され、冷却器１７Ｆ，１７Ｒ付近で生成された冷気がそれぞれの部屋１３Ｆ，１３Ｒに循環供給されることで冷却される（冷却サイクル）。経時後に、庫内温度が対応する庫内設定温度の下限値（ＯＦＦ温度：設定温度−１．５Ｋ℃）まで下降したら、対応する開閉弁２７Ｆ，２７Ｒが閉鎖されて冷却器１７Ｆ，１７Ｒへの冷媒の供給が停止されることで温度上昇に転じ（温度上昇サイクル）、以降、冷却サイクルと温度上昇サイクルとが繰り返されることで、冷凍室１３Ｆと冷蔵室１３Ｒの庫内温度がそれぞれほぼ設定温度に維持されるようになっている。
【００２２】
なお、温度上昇サイクルの間、庫内ファン１８Ｆ，１８Ｒが低速でかつ間欠運転されることにより、各室１３Ｆ，１３Ｒ内が適宜に撹拌されて庫内温度のばらつきが抑えられるようになっている。低速間欠運転は例えば、高速時の１／２の回転数で、かつ「１５秒ＯＮ／４５秒ＯＦＦ」の間欠運転となっている。  
冷凍室１３Ｆと冷蔵室１３Ｒの庫内温度が共にＯＦＦ温度まで下降したら、圧縮機２１が停止される。そのとき、圧縮機２１の次回の起動がしやすいように両開閉弁２７Ｆ，２７Ｒが開放状態とされる。
【００２３】
ところで、このような冷凍冷蔵庫において、例えば周囲温度が低いときに冷蔵室１３Ｒの庫内設定温度を高く（例えば＋１２℃）設定したときや、あるいは冷凍室１３Ｆの庫内設定温度を低く（例えば−２５℃）、冷蔵室１３Ｒの庫内設定温度を高く（例えば＋１２℃）設定する等で、冷蔵室１３Ｒと冷凍室１３Ｆとで庫内設定温度の差が大きいときは、圧縮機２１の停止中において、周囲温度の影響、あるいは両開閉弁２７Ｆ，２７Ｒが開いていることに伴う冷凍側冷却器１７Ｆ（冷媒）の影響を受けて、冷蔵室１３Ｒの庫内温度が低下する可能性がある。  
その対策として、既述したように、図８に示す昇温制御を行うことにより、冷蔵室１３Ｒの冷え過ぎを防止するようにしていたが、冷蔵室１３Ｒに貯蔵された食材の冷え過ぎまでは防止できないのが実情であった。
【００２４】
そこで本実施形態では、圧縮機２１の停止中において、冷蔵室１３Ｒのみならず同冷蔵室１３Ｒに貯蔵された食材の冷え過ぎを防止するべく手段が講じられており、そのため図４に示すように、冷蔵室１３Ｒにおける昇温制御回路４０が構成されている。  
昇温制御回路４０には、後記する条件によって冷蔵側庫内ファン１８Ｒの駆動を制御する駆動制御回路４１が組み込まれており、入力側には、冷凍側庫内サーミスタ３１Ｆと冷蔵側庫内サーミスタ３１Ｒとが接続されているとともに、出力側には、冷蔵側庫内ファン１８Ｒ、冷蔵側防露ヒータ３４Ｒ、冷蔵側除霜ヒータ３２Ｒとが接続されている。
【００２５】
冷蔵室１３Ｒの昇温制御形態の一例を、図５のタイミングチャートに基づいて説明する。  
冷蔵室１３Ｒに続いて冷凍室１３Ｆの庫内温度が設定温度の下限値（ＯＦＦ温度）まで下降したら、圧縮機２１が停止するとともに両開閉弁２７Ｆ，２７Ｒが開放され（タイミングｔ10）、同タイミングｔ10以降、周囲温度や冷凍側冷却器１７Ｆ（冷媒）の影響を受けて、冷蔵室１３Ｒの庫内温度が次第に低下する。経時後、冷蔵室１３Ｒの庫内温度が低基準温度（ＯＦＦ温度−２Ｋ℃）に下降し、すなわち冷え過ぎが検知されたら（タイミングｔ11）、以下のような昇温制御が実行される。すなわち、冷蔵側庫内ファン１８Ｒが低速間欠運転から通常の高速連続運転に切り替わるとともに、冷蔵側防露ヒータ３４Ｒが間欠通電から連続通電に切り替わり、また、冷蔵側除霜ヒータ３２Ｒへ間欠通電（２分ＯＮ／３分ＯＦＦ）されるようになる。これにより、庫内ファン１８Ｒのモータ部１８Ｒａの発熱に加えて、防露ヒータ３４Ｒの発熱さらには除霜ヒータ３２Ｒの発熱により生成された暖気が冷蔵室１３Ｒに循環供給され、冷蔵室１３Ｒの庫内温度が次第に上昇する。
【００２６】
冷蔵室１３Ｒの庫内温度が、設定温度の上限値（ＯＮ温度）よりも少し低い高基準温度（設定温度＋０．５Ｋ℃）まで上昇したら（タイミングｔ12）、昇温に影響の大きい除霜ヒータ３２Ｒへの間欠通電が停止される。同タイミングｔ12以降、周囲温度等の影響で冷蔵室１３Ｒの庫内温度が再び下降に転じ、冷蔵室１３Ｒの庫内温度が所定の切替温度（設定温度−０．５Ｋ℃）まで下降したら（タイミングｔ13）、庫内ファン１８Ｒが高速連続運転から低速間欠運転に変更され、すなわち庫内ファン１８Ｒの駆動率が下げられる。
【００２７】
その後は、除霜ヒータ３２Ｒが消えたことと併せて、空気の循環量が少なくなったことで、冷蔵室１３Ｒは引き続き庫内温度が下降する傾向を示す。同庫内温度が仮に低基準温度（ＯＦＦ温度−２Ｋ℃）まで下降したら（タイミングｔ11と同じ）、上記したタイミングｔ11〜ｔ13の動作が繰り返される。  
そののち、周囲温度が上昇したり、冷凍室１３Ｆの庫内温度がＯＮ温度となって圧縮機２１が再起動されかつ冷蔵側の開閉弁２７Ｒが閉じられる等の環境となることによって、冷蔵室１３Ｒの庫内温度が上昇し、ＯＮ温度まで達したら（タイミングｔ14）、冷蔵室１３Ｒにおいて冷却サイクルが開始される。すなわち冷蔵側の開閉弁２７Ｒが開かれるとともに、庫内ファン１８Ｒが高速連続運転に切り替わり、また防露ヒータ３４Ｒは間欠通電に戻る。
【００２８】
本実施形態では、冷蔵室１３Ｒの昇温制御中において、庫内温度が上昇したのち再び下降傾向を示して切替温度（設定温度−０．５Ｋ℃）まで下降したら（タイミングｔ13）、庫内ファン１８Ｒが高速連続運転から低速間欠運転に変更され、すなわち庫内ファン１８Ｒの駆動率が下げられることを特徴としている。  
仮に、タイミングｔ13以降も庫内ファン１８Ｒが引き続いて高速連続運転されると、少し下がり気味となった空気が食材に対して強く当たり続けることになるため、食材をむしろ冷却するように作用するが、上記のように庫内ファン１８Ｒの駆動率が下げられると、冷蔵室１３Ｒ内を緩やかに撹拌する程度で食材に対して強い風が当てられるのが回避され、図５に示すように、食材の温度低下が規制される。  
すなわち、圧縮機２１の停止中において、冷蔵室１３Ｒのみならず同冷蔵室１３Ｒに貯蔵された食材が冷え過ぎること、例えば凍結することを防ぐことが可能となる。  
また、従来手段に比べてソフトウェアの変更のみで実現できるから、安価に対応することができる。
【００２９】
（変形例）
上記実施形態について、以下のような変更を加えてもよい。  
（１）冷蔵室１３Ｒの冷え過ぎが検知された場合（タイミングｔ11）の庫内ファン１８Ｒの駆動制御は、通常の高速連続運転に限らず、回転数が１／２等の低速間欠運転であってもよい。  
（２）上記実施形態では、庫内ファン１８Ｒの駆動率の低下を図るタイミングを、除霜ヒータ３２Ｒへの通電を停止したのち冷蔵室１３Ｒの庫内温度が低下傾向を示して、切替温度（設定温度−０．５Ｋ℃）に達した場合としたのであるが、切替温度自体は、他の温度であってもよい。  
（３）また、庫内ファン１８Ｒの駆動率の低下を図るタイミングを、除霜ヒータ３２Ｒへの通電を停止したのち所定時間が経過したときとしてもよい。
【００３０】
（４）庫内ファン１８Ｒの低速間欠運転としては、「１５秒ＯＮ／４５秒ＯＦＦ」を例示したが、他の時間比であってもよい。  
（５）庫内ファン１８Ｒの駆動率を下げる形態としては、回転数をさらに下げて連続運転する等、他の形態を採ってもよい。  
（６）上記実施形態では、発熱部材として、庫内ファン１８Ｒのモータ部１８Ｒａの他に、防露ヒータ３４Ｒ、除霜ヒータ３２Ｒを利用したのであるが、防露ヒータ３４Ｒと除霜ヒータ３２Ｒのいずれか一方のみを利用したり、両ヒータ３４Ｒ，３２Ｒともを利用せず庫内ファン１８Ｒのモータ部１８Ｒａの発熱のみに頼るようにしてもよい。また、庫内灯３５を発熱部材として利用してもよい。
【００３１】
＜関連技術１＞
図６は、関連技術１を示す。冷蔵室１３Ｒの昇温制御を行う場合に、冷蔵側庫内ファン１８Ｒを高速連続運転する一方、防露ヒータ３４Ｒに加えて特に冷蔵側除霜ヒータ３２Ｒに通電して発熱させるのが有効であるが、関連技術１はその改善策である。  
昇温制御形態は、図６のタイミングチャートに示すように、冷蔵室１３Ｒの庫内温度が低基準温度（ＯＦＦ温度−２Ｋ℃）に下降し、すなわち冷え過ぎが検知されたら（タイミングｔ20）、冷蔵側庫内ファン１８Ｒが低速間欠運転から通常の高速連続運転に切り替わるとともに、防露ヒータ３４Ｒが間欠通電から連続通電に切り替わり、また、冷蔵側除霜ヒータ３２Ｒへ通電される。これにより冷蔵室１３Ｒの庫内温度が次第に上昇し、設定温度の上限値（ＯＮ温度）よりも少し低い高基準温度（設定温度＋０．５Ｋ℃）まで上昇したら（タイミングｔ21）、除霜ヒータ３２Ｒへの通電が停止される。
【００３２】
上記により冷蔵室１３Ｒの庫内温度が再び下降に転じ、冷え過ぎが検知されたら（タイミングｔ22）、除霜ヒータ３２Ｒに再度通電され、庫内温度が上昇して高基準温度（設定温度＋０．５Ｋ℃）まで上昇したら（タイミングｔ23）、除霜ヒータ３２Ｒへの通電が停止される。  
そののち、周囲温度が上昇したり、冷凍室の庫内温度がＯＮ温度となって圧縮機が再起動されかつ冷蔵側の開閉弁２７Ｒが閉じられる等の環境となることによって、冷蔵室１３Ｒの庫内温度が上昇し、ＯＮ温度まで達したら（タイミングｔ24）、冷蔵室１３Ｒにおいて冷却サイクルが開始される。
【００３３】
上記の昇温制御において、仮にタイミングｔ21（ｔ23）で除霜ヒータ３２Ｒへの通電が継続されると、冷蔵室１３Ｒが過剰に昇温されることになり、早期に庫内温度がＯＮ温度に達して冷却サイクルに入ることになる等、必要以上にランニングコストが上がる不具合がある。  
本関連技術１では、上記のタイミングｔ21（ｔ23）で除霜ヒータ３２Ｒへの通電を停止させることにより、冷蔵室１３Ｒが過剰に昇温されることが回避され、上記の不具合が解消される。
【００３４】
＜関連技術２＞
図７は関連技術２を示し、本関連技術２は関連技術１のさらに改良例である。  
この関連技術２では、冷蔵室１３Ｒの冷え過ぎが検知されて（タイミングｔ20,ｔ22）、除霜ヒータ３２Ｒへ通電する場合に、連続通電ではなく、間欠通電（２分ＯＮ／３分ＯＦＦ）するようにしている。  
除霜ヒータ３２Ｒの間欠通電中におけるＯＦＦ時においても、余熱で相応の発熱が見込め、結果、消費電力に対して効率良く発熱させることができる。
【００３５】
＜他の実施形態＞
本発明は上記記述及び図面によって説明した実施形態に限定されるものではなく、例えば次のような実施形態も本発明の技術的範囲に含まれる。  
（１）上記実施形態では、冷蔵室を昇温することに利用する発熱部材として、除霜ヒータ等既設のものを適用したのであるが、昇温用ヒータを専用に設けるようにしてもよい。
（２）本発明は、上記実施形態に例示した冷凍冷蔵庫に限らず、プラス温度の設定温度を有する貯蔵室のみを備えた冷蔵庫についても、同様に適用することができる。  
【符号の説明】
【００３６】
１３Ｆ…冷凍室
１３Ｒ…冷蔵室（庫内設定温度が高い側の貯蔵室）
２０…冷凍ユニット
２１…圧縮機
１７Ｆ，１７Ｒ…冷却器
１８Ｆ，１８Ｒ…庫内ファン
１８Ｒａ…（冷蔵側庫内ファン１８Ｒの）モータ部（発熱部材）
２７Ｆ，２７Ｒ…電磁開閉弁
３１Ｆ，３１Ｒ…庫内サーミスタ（庫内温度センサ）
３２Ｒ…除霜ヒータ（発熱部材）
３４Ｒ…防露ヒータ（発熱部材）
４０…昇温制御回路
４１…庫内ファン駆動制御回路
【図１】
0005743867.tif 000002
【図２】
0005743867.tif 000003
【図３】
0005743867.tif 000004
【図４】
0005743867.tif 000005
【図５】
0005743867.tif 000006
【図６】
0005743867.tif 000007
【図７】
0005743867.tif 000008
【図８】
0005743867.tif 000009